(57)【要約】      （修正有）【課題】時刻を知るだけでなく時の流れを楽しむことができる電子時計を提供する。【解決手段】２つの基板と、２つの基板の間に配置された、電気泳動粒子を含む電気泳動素子とを含み、少なくとも第１色と第２色を表示可能な表示部を備え、表示部に時間の経過を表現する第１画像が表示される第１モードと、表示部に時刻情報を含む第２画像が表示される第２モードとを有し、第２モードによって時刻を知ることができ、第１モードによって時の流れを楽しむことができる。【選択図】図７
2015137939.tif 000002
【特許請求の範囲】
【請求項１】
表示部を含み、
前記表示部に時間の経過を表現する第１画像が表示される第１モードと、前記表示部に時刻情報を含む第２画像が表示される第２モードとを有する、電子時計。
【請求項２】
前記表示部は、
２つの基板と、前記２つの基板の間に配置された、電気泳動粒子を含む電気泳動素子とを含み、少なくとも第１色と第２色を表示可能である、請求項１に記載の電子時計。
【請求項３】
前記第１画像の更新間隔は、前記第２画像の更新間隔よりも長い、請求項１又は２に記載の電子時計。
【請求項４】
前記第１画像の更新間隔は、１分よりも長い、請求項１乃至３のいずれか一項に記載の電子時計。
【請求項５】
前記第１モードにおいては、前記第１画像のレイヤーと時計を模した第３画像のレイヤーとを重ねた画像が表示される、請求項１乃至４のいずれか一項に記載の電子時計。
【請求項６】
前記第１画像の更新間隔は、前記第３画像の更新間隔よりも長い、請求項５に記載の電子時計。
【請求項７】
前記第１モードにおいては、時刻の目盛りを含む前記第１画像、または、前記第１画像のレイヤーと時刻の目盛りを含む画像のレイヤーとを重ねた画像が前記表示部に表示される、請求項１乃至４のいずれか一項に記載の電子時計。
【請求項８】
前記第１モードにおいては、前記第１画像よりも大きい画像がスクロールされることで前記第１画像が更新される、請求項１乃至７のいずれか一項に記載の電子時計。
【請求項９】
前記第１モードにおいては、特定の日時に、前記第１画像のレイヤーに前記特定の日時に関連する第４画像のレイヤーを重ねた画像が表示される、請求項１乃至８のいずれか一項に記載の電子時計。
【請求項１０】
前記第１モードにおいては、特定の期間に応じて異なる前記第１画像または、前記第１画像の少なくとも一部に重ねて季節に応じた画像が前記表示部に表示される、請求項１乃至９のいずれか一項に記載の電子時計。
【発明の詳細な説明】
【技術分野】
【０００１】
本発明は、電子時計に関する。
【背景技術】
【０００２】
現在では、時計の計時精度が飛躍的に向上したため、正確な時刻を表示するだけの時計は魅力が薄れ、ファッション性や遊び心のある時計が求められる傾向が強くなっている。そのような時計を実現するための１つの解決策として、時計が正確な時刻を表示するだけでなくファッション性や遊び心のあるコンテンツも表示可能にすることが考えられる。例えば、特許文献１では、幾何学像やアニメーション画像等が表示され、あるいは、審美的に楽しいファッショナブルなカラー変化機能を備えた液晶表示装置が組み込まれた電子時計が提案されている。
【先行技術文献】
【特許文献】
【０００３】
【特許文献１】特表平１０−５０４４００号公報
【発明の概要】
【発明が解決しようとする課題】
【０００４】
しかしながら、特許文献１に記載の電子時計では、ファッション性や遊び心は向上するものの、液晶表示装置の表示内容と時刻に関連性がないため、ユーザーは、液晶表示装置の表示を見ても時の流れを感じることはできず、時間についてはアナログ針による正確な時刻表示を見るしかない。このように、ユーザーが正確な時刻を知ることも緩やかな時の流れを楽しむこともできる時計は、これまでに提案されていない。
【０００５】
本発明は、以上のような問題点に鑑みてなされたものであり、本発明のいくつかの態様によれば、時刻を知るだけでなく時の流れを楽しむことができる電子時計を提供することができる。
【課題を解決するための手段】
【０００６】
本発明は前述の課題の少なくとも一部を解決するためになされたものであり、以下の態様または適用例として実現することが可能である。
【０００７】
［適用例１］
本適用例に係る電子時計は、表示部を含み、前記表示部に時間の経過を表現する第１画像が表示される第１モードと、前記表示部に時刻情報を含む第２画像が表示される第２モードとを有する。
【０００８】
本適用例に係る電子時計によれば、ユーザーは、第２モードによって時刻を知ることができ、第１モードによって時の流れを楽しむことができる。
【０００９】
［適用例２］
上記適用例に係る電子時計において、前記表示部は、２つの基板と、前記２つの基板の間に配置された、電気泳動粒子を含む電気泳動素子とを含み、少なくとも第１色と第２色を表示可能であってもよい。
【００１０】
本適用例に係る電子時計によれば、電気泳動素子を用いた表示部を含むので、一定時間、電力が供給されなくても画像を保持できるため低消費電力動作が可能である。
【００１１】
［適用例３］
上記適用例に係る電子時計において、前記第１画像の更新間隔は、前記第２画像の更新間隔よりも長くてもよい。
【００１２】
本適用例に係る電子時計によれば、第１モードでは第２モードでの時刻の更新間隔よりも長い間隔で画像が変化するので、ユーザーは第２モードよりも大まかな時の流れを感じることができる。
【００１３】
［適用例４］
上記適用例に係る電子時計において、前記第１画像の更新間隔は、１分よりも長くてもよい。
【００１４】
本適用例に係る電子時計によれば、第１モードでは画像が１分よりも長い間隔で画像が変化するので、ユーザーは大まかな時の流れを感じることができる。
【００１５】
［適用例５］
上記適用例に係る電子時計は、前記第１モードにおいては、前記第１画像のレイヤーと時計を模した第３画像のレイヤーとを重ねた画像が表示されてもよい。
【００１６】
前記第１画像の更新間隔と前記第３画像の更新間隔とは異なってもよい。
【００１７】
本適用例に係る電子時計によれば、ユーザーは、第１モードでは、第１画像の変化により大まかな時の流れを感じながら、第３画像の時刻表示により大凡の時刻も知ることができる。
【００１８】
［適用例６］
上記適用例に係る電子時計において、前記第１画像の更新間隔は、前記第３画像の更新間隔よりも長くてもよい。
【００１９】
本適用例に係る電子時計によれば、第１モードでは第１画像が変化しないまま第３画像の時刻表示が変化する画像が表示されることがあるので、ユーザーは、第１画像が変化しなくても時の流れを感じることができる。
【００２０】
［適用例７］
上記適用例に係る電子時計は、前記第１モードにおいては、時刻の目盛りを含む前記第１画像、または、前記第１画像のレイヤーと時刻の目盛りを含む画像のレイヤーとを重ねた画像が前記表示部に表示されてもよい。
【００２１】
本適用例に係る電子時計によれば、ユーザーは、第１モードでは、第１画像の変化により大まかな時の流れを感じながら、時刻の目盛りの画像により大凡の時刻も知ることができる。
【００２２】
［適用例８］
上記適用例に係る電子時計は、前記第１モードにおいては、前記第１画像よりも大きい画像がスクロールされることで前記第１画像が更新されてもよい。
【００２３】
本適用例に係る電子時計によれば、第１モードでは表示物が徐々に移動する画像が表示されるので、ユーザーは大まかな時の流れを感じることができる。
【００２４】
［適用例９］
上記適用例に係る電子時計は、前記第１モードにおいては、特定の日時に、前記第１画像のレイヤーに前記特定の日時に関連する第４画像のレイヤーを重ねた画像が表示されてもよい。
【００２５】
本適用例に係る電子時計によれば、第１モードでは特定の日時に関連する画像を表示させることができるので、ユーザーを楽しませることができる。
【００２６】
［適用例１０］
上記適用例に係る電子時計は、前記第１モードにおいては、特定の期間に応じて異なる前記第１画像または、前記第１画像の少なくとも一部に重ねて季節に応じた画像が前記表示部に表示されてもよい。
【００２７】
本適用例に係る電子時計によれば、ユーザーは、第１モードでは、大まかな時の流れを、特定の期間に応じて異なる画像によって楽しむことができる。
【図面の簡単な説明】
【００２８】
【図１】本実施形態の電子時計の外観図。
【図２】本実施形態の電気泳動表示装置の機能ブロック図。
【図３】本実施形態の表示部及び描画ＩＣの構成を示す図。
【図４】本実施形態の画素の回路構成図。
【図５】図５（Ａ）は電気泳動素子の構成例を示す図。図５（Ｂ）、図５（Ｃ）は電気泳動素子の動作の説明図。
【図６】本実施形態における表示部の画像を更新する方法の説明図。
【図７】本実施形態における表示モードの遷移を示す図。
【図８】第１実施形態における絵巻画像の一例を示す図。
【図９】図８の絵巻画像の一部を示す図。
【図１０】第１実施形態において絵巻モードで表示される画像の一例を示す図。
【図１１】第１実施形態における画像のレイヤー構造についての説明図。
【図１２】第１実施形態における演算ＩＣによる絵巻モードの処理手順の概略を示すフローチャート図。
【図１３】第２実施形態における絵巻画像の一例を示す図。
【図１４】第２実施形態において絵巻モードで表示される画像の一例を示す図。
【図１５】第２実施形態における画像のレイヤー構造についての説明図。
【図１６】第２実施形態における演算ＩＣによる絵巻モードの処理手順の概略を示すフローチャート図。
【図１７】第３実施形態における画像のレイヤー構造についての説明図。
【図１８】第４実施形態における画像のレイヤー構造についての説明図。
【発明を実施するための形態】
【００２９】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００３０】
１．第１実施形態
［電子時計の概要］
図１は本実施形態の電子時計１の外観図であり、電子時計１を表示部に垂直かつ表示部を視認可能な方向（正面）からみた平面図である。図１に示すように、本実施形態の電子時計１は、腕時計であり、時計ケース２や時計ケース２に連結された一対のバンド３等を備える。
【００３１】
時計ケース２の正面には、電気泳動表示（ＥＰＤ：Electrophoretic Display）パネルで構成された表示部４が設けられ、時計ケース２の側面（正面の方向に対して垂直な方向）には、操作ボタンＡ（５ａ）と操作ボタンＢ（５ｂ）とが設けられている。
【００３２】
操作ボタンＡ（５ａ）又は操作ボタンＢ（５ｂ）の押下操作（入力操作）に応じて、表示部４には各種の画像、例えば、１分毎あるいは１秒毎に更新される時刻情報を含む各種の画像、時間の経過を表現する画像、時刻修正用の画像等が表示される。
【００３３】
時計ケース２の内部には、表示部４と表示部４を駆動する駆動装置（不図示）とを備えた電気泳動表示装置（表示部以外は不図示）が設けられている。
【００３４】
［電気泳動表示装置の構成］
図２は、本実施形態の電子時計１が備える電気泳動表示装置の機能ブロック図である。図２に示すように、本実施形態の電子時計１が備える電気泳動表示装置７は、表示部４（図１参照）と駆動装置６とを有し、駆動装置６は、演算ＩＣ（Integrated Circuit）１０、リアルタイムクロック（ＲＴＣ：Real Time Clock）ＩＣ２０、描画ＩＣ３０、温度計測ＩＣ４０及びリセットＩＣ５０を備えている。後述するように、本実施形態では、これらのＩＣ及び表示部４の低消費電力化を実現することで、電気泳動表示装置７は、ボタン電池等の小容量の一次電池６０でも数年間動作を継続するように構成されている。ただし、電気泳動表示装置７は、充電可能な電池（二次電池）で動作するように構成されていてもよい。
【００３５】
本実施形態では、演算ＩＣ１０は、書き換え可能なフラッシュＲＯＭ１２が内蔵された汎用性の高いマイクロコンピューターユニット（ＭＣＵ）を用いて実現されており、フラッシュＲＯＭ１２に記憶されているプログラムやデータに従って動作する。従って、フラッシュＲＯＭ１２に記憶されるプログラムやデータを書き換えることで、演算ＩＣ１０の機能を容易に変更可能である。また、演算ＩＣ１０が内蔵されたムーブメント（時計の駆動装置）の状態でプログラムやデータを書き換えることもできるので、プログラム変更にも容易に対応することができる。
【００３６】
演算ＩＣ１０は、操作ボタンＡ（５ａ）及び操作ボタンＢ（５ｂ）の押下操作（入力操作）に応じて、表示部４に表示する画像の種類やモードを判断する処理を行う。演算ＩＣ１０が判断するモードは、例えば、１分毎に更新される時刻表示を含む画像（第２画像の一例）が表示部４に表示される分更新モード（第２モードの一例）、１秒毎に更新される時刻表示を含む画像が表示部４に表示される秒更新モード（第２モードの別の一例）、絵巻画像がスクロールしながら絵巻画像の一部の画像（第１画像の一例）が表示部４に順次表示される絵巻モード（第１モードの一例）、操作ボタンＡ（５ａ）及び操作ボタンＢ（５ｂ）の押下操作（入力操作）に応じて表示部４に表示される時刻が進められ、又は巻き戻される時刻修正モード等がある。絵巻画像の詳細については後述する。
【００３７】
演算ＩＣ１０は、例えば、分更新モード、秒更新モード及び絵巻モードでは、リアルタイムクロックＩＣ２０から日付や時刻等の時刻情報を取得し、表示部４に表示する内容を決定する処理を行い、時刻修正モードでは、操作ボタンＡ（５ａ）及び操作ボタンＢ（５ｂ）の押下操作（入力操作）に応じた時刻修正値をリアルタイムクロックＩＣ２０に送信する処理を行う。
【００３８】
フラッシュＲＯＭ１２には、表示部４に表示されている画像を消去するためのマクロ命令（画像消去のマクロ命令）や表示部４に新規画像を描画するためのマクロ命令（新規画像描画のマクロ命令）が記憶されている。演算ＩＣ１０は、所定のタイミングで、フラッ
シュＲＯＭ１２から所望のマクロ命令を読み出し、描画ＩＣ３０に送信する処理を行う。
【００３９】
また、演算ＩＣ１０は、描画ＩＣ３０から表示部４に画像データを転送させる処理や描画ＩＣ３０に表示部４を駆動させる処理を行う。また、演算ＩＣ１０は、表示部４を駆動するための基準信号（例えば４ｋＨｚ）を描画ＩＣ３０に供給する。
【００４０】
また、演算ＩＣ１０は、リセットＩＣ５０からリセット信号が供給された時に、例えば強制的に時刻修正モードにするなどの初期化処理を行う。
【００４１】
また、演算ＩＣ１０は、温度計測ＩＣ４０や描画ＩＣ３０に電力を供給する処理、温度計測ＩＣ４０から温度計測値を読み出す処理、読み出した温度計測値に基づいて表示部４の駆動パルスの印加時間や印加タイミングを決定する処理を行う。
【００４２】
また、演算ＩＣ１０は通常動作モードとスリープモードとを有しており、通常動作モードでは演算ＩＣ１０に内蔵の発振回路（例えば、コンデンサーＣ（Capacitor）と抵抗Ｒ（Resistor）で構成されたＣＲ発振回路）が出力するクロック信号に同期して動作し、スリープモードでは発振回路が停止して通常動作モードよりも低消費電力となる。低消費電力化を実現するために、演算ＩＣ１０は、表示部４の表示を更新するための処理（上記の各処理）を行う時は通常動作モードで動作し、何も処理を行わない時は、現在のモード情報や使用中のデータを演算ＩＣ１０に内蔵のＲＡＭ（Random Access Memory）（不図示）に退避し、スリープモードで待機する。例えば、分更新モードや絵巻モードが選択されている場合、演算ＩＣ１０は、通常動作モードの時に、表示部４に表示させる画像の描画情報（マクロ命令）を描画ＩＣ３０に送信し、リアルタイムクロックＩＣ２０が有するタイマー２２に計測を開始させた後、スリープモードに移行する。また、演算ＩＣ１０は、スリープモードの時に、リアルタイムクロックＩＣ２０からタイマー２２の所定時間を計測したこと（計測終了）を示す割り込み信号ＩＮＴ（計測終了信号）を受信して通常動作モードに移行する。
【００４３】
この他、演算ＩＣ１０は、温度計測ＩＣ４０から温度計測値を読み出して正常動作可能な高温限界または低温限界に達したか否かを判断する処理や、一次電池６０の電圧値を監視して低電圧限界に達したか否かを判断する処理等を行ってもよい。
【００４４】
本実施形態では、演算ＩＣ１０は、あらかじめフラッシュＲＯＭ１２に記憶されているプログラムを実行することで各処理を行うが、ネットワークに接続されたサーバーからネットワークを介してプログラムを受信し、当該プログラムを内部メモリーに記憶させて実行するようにしてもよい。また、電子時計１を、メモリーカード等の情報記憶媒体を接続可能に構成し、演算ＩＣ１０が当該情報記憶媒体に記憶されているプログラムを実行することで各処理を行うようにしてもよい。
【００４５】
リアルタイムクロックＩＣ２０は、水晶振動子２４を発振させて例えば３２，７６８ｋＨｚの発振信号を生成し、この発振信号を分周したクロック信号で秒、分、時等の時刻や日、月、年等の日付を計時し、秒、分、時、日、月、年等を含む時刻情報を生成する。この時刻情報は、リアルタイムクロックＩＣ２０が内蔵するレジスター（不図示）に格納され、リアルタイムクロックＩＣ２０は、演算ＩＣ１０からの要求に応じて、レジスターに格納されている一部又は全部の時刻情報を演算ＩＣ１０に送信する。
【００４６】
また、リアルタイムクロックＩＣ２０は、演算ＩＣ１０からの要求に応じて、タイマー２２の計測を開始し、タイマー２２の計測が終了すると演算ＩＣ１０に割り込み信号ＩＮＴ（計測終了信号）を送信する。タイマー２２が計測する時間は、一定時間であってもよいし、演算ＩＣ１０により指定された時間であってもよい。
【００４７】
描画ＩＣ３０は、演算ＩＣ１０からの画像消去のマクロ命令に応じて、現在の画像を消去するための画像データを描画ＩＣ３０に内蔵するＶＲＡＭ（Video RAM）３４に展開する処理や、演算ＩＣ１０からの新規画像描画のマクロ命令に応じて、新規画像を表示するための画像データをＶＲＡＭ上に展開する処理を行う。また、描画ＩＣ３０は、表示部４に電力を供給し、ＶＲＡＭ３４に展開した画像データを表示部４に転送する処理、描画ＩＣ３０に内蔵する昇圧回路３６で外部電源電圧（例えば５Ｖ）を昇圧した高電圧（例えば１５Ｖ）の駆動パルスを生成し、表示部４を駆動する処理を行う。
【００４８】
描画ＩＣ３０が内蔵するフラッシュＲＯＭ３２には、表示部４に表示される画像のパーツデータ（例えば、図１の表示を行うための「１」、「０」、「：」等のパーツデータ）、背景データ、絵巻画像データ（絵巻モードで表示される絵巻画像全体のデータ）等が記憶されている。演算ＩＣ１０から送信される画像消去のマクロ命令や新規画像描画のマクロ命令には、描画すべきパーツデータとその座標（各パーツデータの原点を配置すべき座標）の情報あるいは描画すべき背景データの情報等が含まれている。描画ＩＣ３０は、画像消去のマクロ命令や新規画像描画のマクロ命令に従い、フラッシュＲＯＭ３２に記憶されているパーツデータを読み出し、選択した各パーツを表示部４の表示領域の表示すべき座標に対応するＶＲＡＭ３４のアドレスに書き込み、あるいは、フラッシュＲＯＭ３２に記憶されている背景データを読み出してＶＲＡＭ３４の所定のアドレスに書き込む。
【００４９】
また、描画ＩＣ３０は、演算ＩＣ１０から供給される基準信号（例えば４ｋＨｚ）を用いて、駆動パルスの印加（送信）タイミングやパルス幅を調整する。また、描画ＩＣ３０は、ＣＲ発振回路等の発振回路（不図示）を内蔵し、この発振回路により比較的高い周波数（例えば４００ｋＨｚ）のクロック信号を生成し、駆動パルスの生成処理を除く上記の各処理を行う。このように、描画ＩＣ３０が、内蔵の発振回路により生成されるクロック信号よりも周波数が十分低い基準信号（例えば４ｋＨｚ）を用いて駆動パルスの印加（送信）タイミングやパルス幅を調整することで、低消費電力化を図ることができる。
【００５０】
なお、分更新モードが選択されている場合、リアルタイムクロックＩＣ２０は、毎分００秒ちょうどになると、００秒の合図信号を演算ＩＣ１０に送信し、演算ＩＣ１０は、この合図信号を受信し、描画ＩＣ３０に対して表示部４への駆動パルスの印加（送信）を指示する。描画ＩＣ３０は、この指示を受けて表示部４に駆動パルスを印加（送信）し、表示部４は、駆動パルスを受けて新規画像（１分が経過した時刻を含む画像）を表示する。このように、分更新モードにおいて、表示部４の画像更新をリアルタイムクロックＩＣ２０が送信する正確な合図信号に同期させることで、描画ＩＣ３０が生成する非同期のクロック信号に同期させる場合と比較して、より正確なタイミングで時刻表示が変わり始めるようにすることができる。
【００５１】
温度計測ＩＣ４０は、演算ＩＣ１０から電力を供給されて動作し、演算ＩＣ１０からの要求に応じて温度を計測し、温度計測ＩＣ４０に内蔵するＡ／Ｄ変換器（不図示）で温度計測値をデジタル値に変換して演算ＩＣ１０に送信する処理を行う。
【００５２】
リセットＩＣ５０は、操作ボタンＡ（５ａ）及び操作ボタンＢ（５ｂ）に対する所定の押下操作（例えば、同時に所定時間以上長押し）が行われた場合に、リセットＩＣ５０に内蔵のＣＲ回路（不図示）により所定時間だけリセット信号を発生させて演算ＩＣ１０に供給する。
【００５３】
［表示部及び描画ＩＣの構成］
図３は、本実施形態の表示部４及び描画ＩＣ３０の構成を示す図である。図３に示すように、本実施形態の表示部４は、アクティブマトリックス方式の電気泳動表示パネル（Ｅ
ＰＤパネル）であり、文字、数字、写真、模様、イラスト等の様々な画像を表示可能である。
【００５４】
表示部４には、データ線駆動回路１０１及び走査線駆動回路１０２が設けられている。また、表示部４には、データ線駆動回路１０１から延びる複数のデータ線１１１と、走査線駆動回路１０２から延びる複数の走査線１１２とが形成されており、これらの交差位置に対応して複数の画素１０３が設けられている。
【００５５】
データ線駆動回路１０１は、ｎ本のデータ線１１１（Ｘ１、Ｘ２、・・・、Ｘｎ）により各画素１０３に接続されている。データ線駆動回路１０１は、描画ＩＣ３０が内蔵するコントローラー３１の制御に従って、画素１０３のそれぞれに対応する１ビットの画像データを規定する画像信号を画素１０３に供給する。なお、本実施形態では、データ線駆動回路１０１は、画素データ「０」を規定する場合には、ローレベルの画像信号を画素１０３に供給し、画素データ「１」を規定する場合には、ハイレベルの画像信号を画素１０３に供給するものとする。
【００５６】
走査線駆動回路１０２は、ｍ本の走査線１１２（Ｙ１、Ｙ２、・・・、Ｙｍ）により各画素１０３に接続されている。走査線駆動回路１０２は、コントローラー３１の制御に従って１行目からｍ行目までの走査線１１２を順次選択することで、画素１０３に設けられた駆動用ＴＦＴ１０４（図４参照）のオンタイミングを規定する選択信号を供給する。
【００５７】
表示部４には、描画ＩＣ３０のＶＤＤＸ端子を介してコントローラー３１から延びる高電位電源線２０５が設けられており、この高電位電源線２０５はデータ線駆動回路１０１と接続されている。また、表示部４には、描画ＩＣ３０のＶＤＤＹ端子を介してコントローラー３１から延びる高電位電源線２０６が設けられており、この高電位電源線２０６は走査線駆動回路１０２と接続されている。コントローラー３１は、高電位電源線２０５，２０６に高電位（５Ｖ）を供給するか否かの制御を行う。
【００５８】
また、表示部４には、描画ＩＣ３０のＶＳＳＸ端子を介してコントローラー３１から延びる低電位電源線２０７が設けられており、この低電位電源線２０７はデータ線駆動回路１０１と接続されている。また、表示部４には、描画ＩＣ３０のＶＳＳＹ端子を介してコントローラー３１から延びる低電位電源線２０８が設けられており、この低電位電源線２０８は走査線駆動回路１０２と接続されている。コントローラー３１は、低電位電源線２０７，２０８に低電位（０Ｖ）を供給する。
【００５９】
また、表示部４には、描画ＩＣ３０のＶＣＯＭ端子、Ｓ１端子、Ｓ２端子、ＶＥＰ端子、ＶＳＳ端子を介して、それぞれ、共通電源変調回路３７から延びる共通電極配線２００、第１パルス信号線２０１、第２パルス信号線２０２、高電位電源線２０３、低電位電源線２０４が設けられており、それぞれの配線は画素１０３と接続されている。共通電源変調回路３７は、コントローラー３１の制御に従って上記配線のそれぞれに供給する各種信号を生成する一方、これら各配線の電気的な接続及び切断（ハイインピーダンス化、Ｈｉ−Ｚ）を行う。
【００６０】
描画ＩＣ３０は、コントローラー３１、フラッシュＲＯＭ３２、発振回路３３、ＶＲＡＭ３４、ＲＡＭ３５、昇圧回路３６及び共通電源変調回路３７を含んで構成されている。コントローラー３１は、イネーブル端子ＸＰＤＷに演算ＩＣ１０からイネーブル信号（ハイレベルの信号）が入力されるまではパワーオフ状態であり、イネーブル信号が入力されるとパワーオンする。コントローラー３１は、パワーオン状態の時、ＲＡＭ３５を作業領域として、フラッシュＲＯＭ３２、発振回路３３、ＶＲＡＭ３４、昇圧回路３６及び共通電源変調回路３７を制御し、表示部４に画像を表示させるための各処理を行う。
【００６１】
図４は、図３に示した画素１０３の回路構成図である。なお、図３と同じ配線には同じ番号を付しており、説明は省略する。また、全画素に共通の共通電極配線２００については記載を省略している。
【００６２】
図４に示すように、画素１０３には、駆動用ＴＦＴ（Thin Film Transistor）１０４と、ラッチ回路１０５と、スイッチ回路１０６が設けられている。画素１０３は、ラッチ回路１０５により画像信号を電位として保持するＳＲＡＭ（Static Random Access Memory）方式の構成となっている。
【００６３】
駆動用ＴＦＴ１０４は、Ｎチャネル型ＭＯＳ（Metal Oxide Semiconductor）トランジスターからなる画素スイッチング素子である。駆動用ＴＦＴ１０４のゲート端子は走査線１１２に接続され、ソース端子はデータ線１１１に接続され、ドレイン端子はラッチ回路１０５のデータ入力端子に接続されている。ラッチ回路１０５は転送インバーター１０５ｔと帰還インバーター１０５ｆとを備えている。転送インバーター１０５ｔ、帰還インバーター１０５ｆには、高電位電源線２０３と低電位電源線２０４との電位差に相当する電源電圧が供給される。
【００６４】
スイッチ回路１０６は、トランスミッションゲートＴＧ１、ＴＧ２からなり、ラッチ回路１０５に記憶された画素データのレベルに応じて、画素電極１３５（図５（Ｂ）、図５（Ｃ）参照）に信号を出力する。
【００６５】
ラッチ回路１０５に画素データ「１」（ハイレベルの画像信号）が記憶されて、トランスミッションゲートＴＧ１がオン状態となると、スイッチ回路１０６は第１パルス信号線２０１に伝搬する信号を出力する。一方、ラッチ回路１０５に画素データ「０」（ローレベルの画像信号）が記憶されて、トランスミッションゲートＴＧ２がオン状態となると、スイッチ回路１０６は第２パルス信号線２０２に伝搬する信号を出力する。このような回路構成により、それぞれの画素１０３の画素電極１３５に対して供給する電位が制御可能となる。
【００６６】
本実施形態では、表示部４は、二粒子系マイクロカプセル型の複数の電気泳動素子を有し、各電気泳動素子に電界をかけることで各画素１０３の色が制御される。図５（Ａ）は、本実施形態の電気泳動素子１３２の構成を示す図である。電気泳動素子１３２は素子基板１３０と対向基板１３１（図５（Ｂ）、図５（Ｃ）参照）との間に配置されている。電気泳動素子１３２は、複数のマイクロカプセル１２０を配列して構成される。マイクロカプセル１２０は、例えば無色透明な分散液と、複数の白色の電気泳動粒子（白色粒子１２７）と、複数の黒色の電気泳動粒子（黒色粒子１２６）とが封入されている。本実施形態では、白色粒子１２７は負に帯電しており、黒色粒子１２６は正に帯電している。なお、電気泳動粒子の色は黒色及び白色に代えて、赤色及び白色など、他の組み合わせであってもよい。また、本明細書においてある物が「無色」とは、その物を介して対象物を見た場合に、その物を介さずに見た場合と比較して、対象物の色が実質的に同じと認識できる状態を言う。また、ある物が「透明」であるとは、その物を介して対象物を視認可能な状態を言う。
【００６７】
図５（Ｂ）は、表示部４の部分断面図である。素子基板１３０と対向基板１３１は、マイクロカプセル１２０を配列してなる電気泳動素子１３２を狭持している。表示部４は、素子基板１３０の電気泳動素子１３２側に、複数の画素電極１３５が形成された駆動電極層３５０が設けられている。図５（Ｂ）では、画素電極１３５として画素電極１３５Ａと画素電極１３５Ｂが示されている。画素電極１３５により、画素ごとに電位（例えば、Ｖａ、Ｖｂ）を供給することが可能である。ここで、画素電極１３５Ａを有する画素を画素
１０３Ａとし、画素電極１３５Ｂを有する画素を画素１０３Ｂとする。画素１０３Ａ、画素１０３Ｂは画素１０３（図３、図４参照）に対応する２つの画素である。
【００６８】
一方、対向基板１３１は透明基板であり、表示部４において対向基板１３１側に画像表示がなされる。表示部４は、対向基板１３１の電気泳動素子１３２側に、平面形状の共通電極１３７が形成された共通電極層３７０が設けられている。なお、共通電極１３７は透明電極である。共通電極１３７は、画素電極１３５と異なり全画素に共通の電極であり、電位ＶＣＯＭが供給される。
【００６９】
共通電極層３７０と駆動電極層３５０との間に設けられた電気泳動表示層３６０に電気泳動素子１３２が配置されており、電気泳動表示層３６０が表示領域となる。画素電極１３５（例えば、１３５Ａ、１３５Ｂ）と共通電極１３７との間の電位差に応じて、画素毎に所望の色を表示させることができる。
【００７０】
図５（Ｂ）は、共通電極側の電位ＶＣＯＭが画素１０３Ａの画素電極１３５Ａの電位Ｖａ及び画素１０３Ｂの画素電極１３５Ｂの電位Ｖｂよりも高電位の状態を示している。このとき、画素電極１３５Ａ，１３５Ｂと共通電極１３７との間には、電位ＶＣＯＭを基準として負の電圧が印加されるため、負に帯電した白色粒子１２７が共通電極１３７側に引き寄せられ、正に帯電した黒色粒子１２６が画素電極１３５Ａ，１３５Ｂ側に引き寄せられ、画素１０３Ａ，１０３Ｂは白色（第１色の一例）を表示していると視認される。
【００７１】
図５（Ｃ）は、図５（Ｂ）の状態から、共通電極１３７側の電位ＶＣＯＭが画素１０３Ａの画素電極１３５Ａの電位Ｖａよりも低電位となり、画素１０３Ｂの画素電極１３５Ｂの電位Ｖｂと同電位となった状態を示している。このとき、画素電極１３５Ａと共通電極１３７との間には、電位ＶＣＯＭを基準として正の電圧が印加されるため、正に帯電した黒色粒子１２６が共通電極１３７側に引き寄せられ、負に帯電した白色粒子１２７が画素電極１３５Ａ側に引き寄せられ、画素１０３Ａは白色から黒色（第２色の一例）に変化したと視認される。一方、画素電極１３５Ｂと共通電極１３７との間では、電位差が生じていないため、黒色粒子１２６と白色粒子１２７は図５（Ｂ）の位置でほとんど移動せず、画素１０３Ａは白色のまま変化していないと視認される。
【００７２】
なお、画素電極１３５と共通電極１３７との電位差の大きさあるいは電位差を生じさせる時間を制御することで、黒色粒子１２６と白色粒子１２７を両電極間の任意の中間位置で静止させれば、黒色と白色の間の任意の中間色（灰色）を表示させることもできる。
【００７３】
このように、ＥＰＤパネルは、一定時間、電力が供給されなくても画像を保持できるため低消費電力動作が可能であり、また、１８０度視認可能であるため、腕時計等の携帯型の電子時計の表示部としての使用にも適している。
【００７４】
［画像更新方法］
図６は、表示部４の画像を更新する方法について説明するための図である。図６では、１分毎に時刻表示を更新する例が示されている。
【００７５】
図６の例では、まず、時刻が１０時５分の時に、表示部４には、「１０：０５」の表示位置にある画素が黒色であり、その他の画素が白色である画像Ａが表示されている。
【００７６】
次に、時刻が１０時６分になる少し前に、表示部４には、全面黒色の画像Ｂが表示される。画像Ａから画像Ｂに更新する際は、まず、黒色の画素には電圧を印加せずに（０Ｖを印加して）白色の画素に負の電圧を印加する部分駆動方式により全面黒色の画像を表示させ、さらに、すべての画素に負の電圧を印加する全面駆動方式により全面黒色の画像を再
表示させる。全面駆動方式とは、当該方式を用いた駆動（描画）の期間において、すべての画素に（共通電極１３７と画素電極１３５との間の）電位差が生じる駆動方式である。
【００７７】
次に、表示部４には、全面白色の画像Ｃが表示される。画像Ｂから画像Ｃに更新する際は、まず、すべての画素に正の電圧を印加する全面駆動方式により全面白色の画像を表示させ、次に、画像Ａにおいて白色だった画素には電圧を印加せずに（０Ｖを印加して）画像Ａにおいて黒色だった画素に正の電圧を印加する部分駆動方式により全面白色の画像を再表示させる。部分駆動方式とは、当該方式を用いた駆動（描画）の期間において、（共通電極１３７と画素電極１３５との間の）電位差が生じないと画素が存在する駆動方式である。
【００７８】
次に、時刻が１０時６分になると、表示部４には、「１０：０６」の表示位置にある画素が黒色であり、その他の画素が白色である画像Ｄが表示される。画像Ｃから画像Ｄに更新する際は、「１０：０６」の表示位置にない画素には電圧を印加せずに（０Ｖを印加して）「１０：０６」の表示位置にある画素に負の電圧を印加する部分駆動方式により画像Ｄを表示させる。
【００７９】
このように、本実施形態では、部分駆動方式と全面駆動方式により全面黒色の画像を表示させ、さらに全面駆動方式と部分駆動方式により全面白色の画像を表示させることで元の画像を消去し、その後、部分駆動方式により次の画像（新規画像）を表示させる。すなわち、本実施形態の画像更新方法によれば、全画素が白色の状態から次の画像が表示されるため、画像毎に色合いが変わるという問題が生じにくい。また、本実施形態の画像更新方法によれば、各画素電極１３５と共通電極１３７との間に印加される電界の時間平均がほぼゼロになり、ＤＣバランスがとられるため、電気泳動表示装置７の長期信頼性を確保することができる。
【００８０】
ところで、表示部４（ＥＰＤパネル）に対して、画像を消去し、あるいは新規画像を描画するために必要な駆動時間（駆動パルスの印加時間）は、温度に応じて変化し、一般に、温度が低いほど長い駆動時間が必要になる。そこで、本実施形態では、画像を更新する際に温度に応じて駆動時間を変更するために、演算ＩＣ１０が内蔵するフラッシュＲＯＭ１２には、温度と駆動パルスの印加時間との対応関係を示すテーブル情報が記憶されている。
【００８１】
演算ＩＣ１０は、画像を更新する前に温度計測ＩＣ４０の温度計測値を取得し、フラッシュＲＯＭ１２に記憶されているテーブル情報を参照し、例えば、描画ＩＣ３０に表示部４への画像データの転送を指示する際に、温度に応じた適切な駆動パルスの印加時間を指示する。
【００８２】
［表示モードの遷移］
図７は、表示部４の表示モードの遷移を示す図である。本実施形態では、リセット操作が行われると、演算ＩＣ１０は時刻修正モードを選択し、表示部４には時刻修正画面が表示される。リセット操作は、例えば、ユーザーが電池を装着する操作や、操作ボタンＡ，Ｂを同時に長押し（所定時間以上押下）する操作（強制リセット操作）である。表示部４に時刻修正画像が表示されている時に、ユーザーが操作ボタンＡ，Ｂを押すと、表示部４に表示される時刻が進められ、又は巻き戻される。
【００８３】
次に、ユーザーが操作ボタンＡを長押しするか、所定時間操作が無かった場合、演算ＩＣ１０は分更新モードを選択し、表示部４にはスタイル１の分更新画像が表示される。分更新画像はＮ個のスタイルが用意されており、ユーザーが操作ボタンＢを押して離す毎に、演算ＩＣ１０は分更新モードを選択したまま、表示部４にはスタイル２〜スタイルＮの
分更新画像が順番に表示される。表示部４にスタイル１〜Ｎのいずれかの分更新画像が表示されている時は、１分毎に時刻表示が更新される。なお、本実施形態における「スタイル」とは、表示される画像の基本デザインを意味する。例えば、時刻の表示態様（時刻だけか、日付と時刻か、など）、一緒に表示される画像、またはフォントなどの配置と組み合わせのパターンである。分更新画像や秒更新画像は、ユーザーが分または秒の変化を把握できるように、数字や、分単位または秒単位の変化が判別できる大きさの時計の画像が用いられる。
【００８４】
表示部４にスタイルＮの分更新画像が表示されている時に、ユーザーが操作ボタンＢを押して離すと、演算ＩＣ１０は絵巻モードを選択し、表示部４には絵巻画像の一部が表示される。絵巻モードで表示部４に表示される画像の詳細については、後述する。
【００８５】
表示部４に絵巻画像の一部が表示されている時に、ユーザーが操作ボタンＢを押して離すと、演算ＩＣ１０は分更新モードを選択し、表示部４にはスタイル１の分更新画像が表示される。
【００８６】
分更新画像又は絵巻画像が表示された状態で、ユーザーがボタン操作を終了する（それ以上のボタン操作を行わない）と、最後に表示されたスタイルで分更新モードが継続される。または絵巻モードが継続される。これによって、ユーザーは絵巻モードか、所望のスタイルの分更新モードの画像を表示部４に選択的に表示させることができる。
【００８７】
また、表示部４にスタイル１〜Ｎのいずれかの分更新画像又は絵巻画像の一部が表示されている時に、ユーザーが操作ボタンＡを長押しすると、演算ＩＣ１０は秒更新モードを選択し、表示部４には秒更新画像が表示される。表示部４に秒更新画像が表示されている時は、１秒毎に時刻表示が更新される。表示部４に秒更新画像が表示されている時に、ユーザーが操作ボタンＡ又はＢを短押し（所定時間よりも短い時間だけ押下）するか、所定時間操作が無かった場合、演算ＩＣ１０は、秒更新モードを選択する直前のモード（分更新モード又は絵巻モード）を再び選択し、表示部４には秒更新画像が表示される直前の画像が表示される。
【００８８】
また、表示部４にスタイル１〜Ｎのいずれかの分更新画像又は絵巻画像の一部が表示されている時に、ユーザーが操作ボタンＡ，Ｂを同時に短押しすると、演算ＩＣ１０は時刻修正モードを選択し、表示部４には時刻修正画像が表示される。表示部４に時刻修正画像が表示されている時に、ユーザーが操作ボタンＡを長押しするか、所定時間操作が無かった場合、演算ＩＣ１０は、時刻修正モードを選択する直前のモード（分更新モード又は絵巻モード）を再び選択し、表示部４には時刻修正画像が表示される直前の画像が表示される。
【００８９】
［絵巻モード］
絵巻モードで表示部４に表示される画像は、時間の経過を表現する画像であり、本実施形態では、１分（分更新モードでの時刻情報の更新間隔）よりも長い間隔の時の流れを想起させる画像である。具体的には、表示部４に表示される画像よりもサイズが大きい絵巻画像がスクロールされて、その一部が表示部４に表示（更新）される。画像が更新されると更新前の画像の一部を含む画像が表示され、十数分から数十分が経過する毎に画像が変化していく。
【００９０】
図８に、絵巻画像の一例を示す。図８に示す絵巻画像は、アフリカのサバンナの一日をイメージした絵巻画像であり、表示部４の画面の８個分（８画面分）のサイズの画像である。図８では、Ａ１〜Ａ８の各画像のサイズが１画面分（１つの第１画像のサイズ）に相当する。Ａ１〜Ａ８の画像をそれぞれ１０等分した画像を最小単位（１コマ）として、時
間の経過とともに１コマずつスクロールされた画像が表示部４に順次表示される。すなわち、表示部４の画像が更新されると、更新前の画像が１コマ分だけ左にシフトし、次の１コマ分の画像が右端に現れる。例えば、図９に示すように、Ａ３，Ａ４の各画像はそれぞれ１０等分されており、図１０（Ａ）に示すように、表示部４に画像Ａ３が表示されている状態から所望の時間（説明のため、ここでは更新５回に相当する時間）が経過すると、図１０（Ｂ）に示すように、表示部４には、５コマ分スクロールした、画像Ａ３と画像Ａ４にまたがる画像Ｂ（図９の破線で囲まれた画像）が表示される。
【００９１】
絵巻画像全体としては８０コマに分割されているので、絵巻画像の左端のコマと右端のコマをつなげた状態で８０コマ分スクロールする毎に、表示部４には同じ画像が表示される。この８０コマ分のスクロールに要する時間を一日の長さと一致させることで、ユーザーは、表示部４の画像を見れば一日の時の流れを感じることができる。例えば、朝６時頃から夕方６時頃にかけての日中は絵巻画像のＡ２〜Ａ６の明るい画像をスクロール表示させ、夕方６時頃から翌朝６時頃にかけての夜間は絵巻画像のＡ７、Ａ８，Ａ１の暗い画像をスクロール表示させることで、実際の時の流れと画像から感じられる時の流れがおおよそ一致する。
【００９２】
１コマ分スクロールさせる時間間隔（スクロール画像の更新間隔）はすべてのコマで同じでもよいし、変えてもよい。例えば、夜中はユーザーが就寝していることが多く時間を気にすることは少ないと想定してスクロール画像の更新間隔を相対的に長くし、日中はスクロール画像の更新間隔を相対的に短くしてもよい。実際、図８に示す絵巻画像では、夜間のコマ数（１０コマ×３程度）が相対的に少なく、日中のコマ数（１０コマ×５程度）が相対的に多くなっており、夜間（特に０時以降の夜中）と日中ではスクロール画像の更新間隔を異ならせることができる。
【００９３】
また、本実施形態では、スクロール画像と重ねて時刻情報も表示される。図１０（Ａ）及び図１０（Ｂ）の画像では、時計（時計台）を模した画像Ｘ（第３画像の一例）が絵巻画像の一部に重ねて表示されており、時計台の針は、図１０（Ａ）では午前９時、図１０（Ｂ）では午前１０時１５分を指している。つまり、１コマあたり１５分で１時間１５分をかけて画像が５コマ分スクロールされている。
【００９４】
本実施形態では、時計台の時刻表示は、絵巻画像のスクロールと関係なく、１分毎に更新される。すなわち、午前９時と同時に図１０（Ａ）の画像が表示され、午前９時１５分になるまで１分が経過する毎に図１０（Ａ）の画像のまま時計台の針が１分ずつ動き、午前９時１５分と同時に１コマ分スクロールされ、かつ、時計台の針が午前９時１５分を表示した画像に更新される。このように本実施形態では、スクロール画像の更新間隔（最短１５分）と時計台を模した画像Ｘの更新間隔（１分）とが異なり、前者の方が長い。従って、現在のスクロール画像は、次のスクロール画像に更新されるまでは１分毎に消去及び再描画によりリフレッシュされることになり、コントラストの低下等の表示画像の不具合が抑制される。なお、絵巻モードは大まかな時間の変化を楽しむモードであるので、時計台の画像によって、ユーザーが１分単位の時刻を判別できる必要はない。５分ほど経過した、１５分、１時間が経過した、という程度に認識できれば良い。
【００９５】
本実施形態では、絵巻のスクロール画像と時計台を模した画像Ｘとを重ねて表示させるために、絵巻モードでは、複数のレイヤーを定義し、表示部４に表示させる画像はレイヤーに対応づけてフラッシュＲＯＭ３２に記憶される。図１１は、本実施形態におけるレイヤー構造について説明するための図であり、図１１に示すように、本実施形態では、レイヤーＬ１〜Ｌ３の３つのレイヤーが定義されている。ユーザーから見て、レイヤーＬ１は最も遠い（最下位の）レイヤーであり、レイヤーＬ３は最も近い（最上位の）レイヤーである。レイヤーＬ１には時計台本体の画像（画像Ｘから針を除いた画像）が対応づけられ
、レイヤーＬ２には絵巻画像が対応づけられ、レイヤーＬ３には時計台の針の画像が対応づけられる。絵巻モードにおいて、レイヤーＬ１の時計台本体の画像は常に同じであり、レイヤーＬ２の絵巻画像は表示部分がスクロールし、レイヤーＬ３の針の画像は１分毎に変化する。このレイヤーＬ１〜Ｌ３の画像を重ねて合成した画像を表示部４に描画することで、図１０（Ａ）や図１０（Ｂ）に示したような画像を表示させることができる。
【００９６】
なお、絵巻画像を、例えば、背景画像（図８の灰色の山や動植物の画像等）とメイン画像（図８の黒色の動植物、人、車の画像等）に分けてそれぞれ別個のレイヤーＬ２Ａ，Ｌ２Ｂに対応づけてフラッシュＲＯＭ１２に記憶させ、レイヤーＬ１，Ｌ２Ａ，Ｌ２Ｂ，Ｌ３の画像を重ねて合成した画像を表示部４に描画してもよい。
【００９７】
図１２は、演算ＩＣ１０による絵巻モードにおける処理手順の概略を示すフローチャート図である。
【００９８】
図１２に示すように、演算ＩＣ１０は、通常動作モードの時に、まず、温度計測ＩＣ４０から温度計測値を取得する（Ｓ１０）。
【００９９】
次に、演算ＩＣ１０は、リアルタイムクロックＩＣ２０から時刻情報を取得する（Ｓ２０）。
【０１００】
次に、演算ＩＣ１０は、リアルタイムクロックＩＣ２０が有するタイマー２２に計測時間をセットし、計測を開始させる（Ｓ３０）。本実施形態では、この計測時間は、ステップＳ９０の処理による表示部４への描画が１分毎に行われるように、１分未満の値、例えば５０秒程度の値にセットされる。
【０１０１】
次に、演算ＩＣ１０は、ステップＳ２０で取得した時刻情報に基づき、表示画像をスクロールさせるか否かを決定する（Ｓ４０）。具体的には、フラッシュＲＯＭ１２には、絵巻画像のＡ１〜Ａ８の各画像とスクロール画像の更新間隔との対応テーブルが記憶されており、演算ＩＣ１０は、この対応テーブルを参照し、現在のスクロール画像を次のスクロール画像に更新すべきか否かを決定する。
【０１０２】
表示画像をスクロールさせる場合（Ｓ５０のＹ）には、演算ＩＣ１０は、現在のスクロール画像を１コマ分ずらし、かつ、時計台の針の時刻を更新した画像（レイヤーＬ１〜Ｌ３の画像を合成した画像）を描画するために必要なマクロ命令（画像消去のマクロ命令及び新規画像描画のマクロ命令）を準備する（Ｓ６０）。
【０１０３】
一方、表示画像をスクロールさせない場合（Ｓ５０のＮ）には、演算ＩＣ１０は、時計台の針の時刻のみを更新した画像を描画するために必要なマクロ命令（画像消去のマクロ命令及び新規画像描画のマクロ命令）を準備する（Ｓ７０）。
【０１０４】
次に、演算ＩＣ１０は、描画ＩＣ３０に、画像消去のマクロ命令を送信し、表示部４への画像データの転送及び表示部４の駆動を指示する（Ｓ８０）。描画ＩＣ３０は、このマクロ命令に基づいて表示部４の画像を消去する。
【０１０５】
次に、演算ＩＣ１０は、描画ＩＣ３０に、新規画像描画のマクロ命令を送信し、表示部４への画像データの転送及び表示部４の駆動を指示する（Ｓ９０）。描画ＩＣ３０は、このマクロ命令に基づいて表示部４の画像を更新する。
【０１０６】
次に、演算ＩＣ１０は、通常動作モードからスリープモードに移行し（Ｓ１００）、リアルタイムクロックＩＣ２０から計測終了信号（割り込み信号）を受信するまで待機する
（Ｓ１１０のＮ）。
【０１０７】
リアルタイムクロックＩＣ２０はタイマー２２の計測が終了すると、演算ＩＣ１１０に計測終了信号（割り込み信号）を送信する。演算ＩＣ１０は、この計測終了信号（割り込み信号）を受信すると（Ｓ１１０のＹ）、スリープモードから通常動作モードに移行し（Ｓ１２０）、再び、ステップＳ１０以降の処理を行う。
【０１０８】
以上に説明したように、第１実施形態の電子時計１によれば、ユーザーは、分更新モードや秒更新モードを選択すれば、分刻みまたは秒刻みの正確な時刻を知ることができ、絵巻モードを選択すれば、時刻に合わせて表示物（動植物等）が徐々に移動する画像が表示されて、時の流れを楽しむことができる。
【０１０９】
また、第１実施形態の電子時計１によれば、ユーザーは、絵巻モードでは、時計台の画像により違和感なく大凡の時刻を知ることができるとともに、絵巻画像がスクロールしない間も時計台の針の位置の変化により時の流れを感じることができる。絵巻モードでは、細かな時刻の表示は必ずしも必要ではない。例えば、分刻みで数字が表示されると絵巻画像の雰囲気を壊してしまう場合がある。しかし、全く時刻が分からないと不便な場合も多い。そこで、絵巻画像の雰囲気に合わせた画像（本実施形態では時計台の画像）を表示して、ユーザーが目安とできる程度に時刻を表示する。
【０１１０】
また、第１実施形態の電子時計１によれば、表示部４が一定時間電力を供給されなくても画像を保持できるＥＰＤパネルで構成され、画像を更新しない時は演算ＩＣ１０がスリープモードに移行して動作が停止するので、低消費電力動作が可能である。従って、例えば、ボタン電池のような小容量の電池でも数年間動作可能な電子時計を実現することができる。
【０１１１】
２．第２実施形態
第２実施形態の電子時計１では、絵巻画像及び絵巻モードにおける演算ＩＣ１０の処理が第１実施形態と異なる。第２実施形態の電子時計１は、絵巻画像及び絵巻モードにおける演算ＩＣ１０の処理を除いて第１実施形態の電子時計１と同様であるため、第１実施形態の電子時計１と同じ構成には同じ符号を付加して共通する説明を省略し、以下では、第１実施形態と異なる内容を中心に説明する。
【０１１２】
図１３に、第２実施形態における絵巻画像の一例を示す。図１３に示す絵巻画像は、図８と同様の画像とともに、時刻情報の画像、すなわち下部に２４時間表記の時刻の目盛りの画像を有している。図１３に示す絵巻画像では、図８と同様に、夜間のコマ数が相対的に少なく、日中のコマ数が相対的に多くなっており、夜間（特に０時以降の夜中）と日中ではスクロール画像の更新間隔が変えられる。そのため、時刻の目盛りも一定間隔ではなく、夜間（特に０時以降の夜中）の画像であるＡ１画像では目盛りの間隔が小さく、日中の画像であるＡ４画像やＡ５画像では目盛りの間隔が大きくなっている。
【０１１３】
本実施形態では、表示部４に表示される画像をスクロールする際、時刻の目盛りも同時にスクロールさせる。要するに、図１３に示した動植物や背景等の画像と目盛りの画像は、互いの相対位置が固定されたまま、一緒にスクロールされる。
【０１１４】
図１４（Ａ）及び図１４（Ｂ）は、表示部４に表示される画像の一例を示す図である。図１４（Ａ）に示すように、表示部４に画像Ａ３が表示されている状態から所望の時間が経過すると、図１４（Ｂ）に示すように、表示部４には、５コマ分スクロールした、画像Ａ３と画像Ａ４にまたがる画像Ｂ（図１３の破線で囲まれた画像）が表示される。表示部４の外枠の下側中央付近には、上向き矢印（三角マーク）Ｙがプリントされており、矢印
で指されている目盛りの時刻が現在時刻である。図１４（Ａ）では午前９時、図１４（Ｂ）では午前１０時１５分になっている。つまり、１コマあたり１５分で１時間１５分をかけて画像が５コマ分スクロールされている。なお、現在時刻を指し示すマークは、画像として表示部４に表示してもよい。
【０１１５】
このように第２実施形態では、第１実施形態と異なり、時刻の更新間隔は、１分間隔ではなく、スクロール画像の更新間隔（最短１５分）と一致する。ただし、スクロール画像の更新間隔が長すぎるとコントラストの低下等の表示画像の不具合が生じるため、本実施形態では、現在のスクロール画像は、次のスクロール画像に更新されるまでは所定時間毎に消去及び再描画によりリフレッシュされる。このリフレッシュ周期は、時刻の更新周期と独立して設定することができるので、第１実施形態のリフレッシュ周期（１分）よりも長い時間（例えば３分）に設定してもよい。このリフレッシュ周期をできるだけ長くすれば、画像の描画に要する消費電力を大きく削減することができる。なお、リフレッシュは、再描画によって行う代わりに、公知のシェイキングパルスによって行っても良い。
【０１１６】
本実施形態でも、絵巻モードでは、複数のレイヤーを定義し、表示部４に表示させる画像はレイヤーに対応づけてフラッシュＲＯＭ３２に記憶される。図１５は、第２実施形態におけるレイヤー構造について説明するための図であり、図１５に示すように、第２実施形態では、レイヤーＬ１，Ｌ２の２つのレイヤーが定義されている。ユーザーから見て、レイヤーＬ１は遠い方のレイヤーであり、レイヤーＬ２は近い方のレイヤーである。レイヤーＬ１には目盛りの画像を除いた絵巻画像が対応づけられ、レイヤーＬ２には時刻の目盛りの画像が対応づけられる。絵巻モードにおいて、レイヤーＬ１の画像とレイヤーＬ２の画像は同じ速度でスクロールする。このレイヤーＬ１，Ｌ２の画像を重ねて合成した画像を表示部４に描画することで、図１４（Ａ）や図１４（Ｂ）に示したような画像を表示させることができる。なお、目盛りを用いる場合は、レイヤーＬ１に目盛りを含めた絵巻画像が対応付けられた構成であってもよい。
【０１１７】
なお、時刻の目盛りの画像を除いた絵巻画像を、例えば、背景画像（図１３の灰色の山や動植物の画像等）とメイン画像（図１３の黒色の動植物、人、車の画像等）に分けてそれぞれ別個のレイヤーＬ１Ａ，Ｌ１Ｂに対応づけてフラッシュＲＯＭ１２に記憶させ、レイヤーＬ１Ａ，Ｌ１Ｂ，Ｌ２の画像を重ねて合成した画像を表示部４に描画してもよい。
【０１１８】
図１６は、演算ＩＣ１０による絵巻モードにおける処理手順の概略を示すフローチャート図である。図１６では、図１２と同じ処理には同じ符号を付している。
【０１１９】
図１６に示すように、演算ＩＣ１０は、通常動作モードの時に、まず、図１２のステップＳ１０〜Ｓ３０と同様の処理を行う。なお、ステップＳ３０において、計測時間は、ステップＳ９０の処理による表示画像のリフレッシュが所望の頻度で行われるように、適切な値にセットされる。
【０１２０】
次に、演算ＩＣ１０は、ステップＳ２０で取得した時刻情報に基づき、表示画像をスクロールさせるか否かを決定し（Ｓ４０）、表示画像をスクロールさせる場合（Ｓ５０のＹ）には、現在のスクロール画像を１コマ分ずらした画像（レイヤーＬ１，Ｌ２の画像を合成した画像）を描画するために必要なマクロ命令（画像消去のマクロ命令及び新規画像描画のマクロ命令）を準備する（Ｓ６２）。
【０１２１】
一方、表示画像をスクロールさせない場合（Ｓ５０のＮ）には、演算ＩＣ１０は、現在の画像を再描画するために必要なマクロ命令（画像消去のマクロ命令及び新規画像描画のマクロ命令）を準備する（Ｓ７２）。
【０１２２】
そして、演算ＩＣ１０は、図１２のステップＳ８０〜Ｓ１２０と同様の処理を行い、再び、ステップＳ１０以降の処理を行う。
【０１２３】
第２実施形態の電子時計１によれば、第１実施形態の電子時計１と同様の効果を奏することができる。また、第２実施形態の電子時計１によれば、ユーザーは、絵巻モードでは、絵巻画像とともにスクロールする時刻の目盛りの画像により違和感なく大凡の時刻を知ることができる。
【０１２４】
３．第３実施形態
第３実施形態の電子時計１では、絵巻モードにおける演算ＩＣ１０の処理が第１実施形態及び第２実施形態と異なる。第３実施形態の電子時計１は、絵巻モードにおける演算ＩＣ１０の処理を除いて第１実施形態の電子時計１又は第２実施形態の電子時計１と同様であるため、第１実施形態の電子時計１又は第２実施形態の電子時計１と同じ構成には同じ符号を付加して共通する説明を省略し、以下では、第１実施形態あるいは第２実施形態と異なる内容を中心に説明する。
【０１２５】
第３実施形態では、第１実施形態又は第２実施形態と同様に、絵巻モードでは、表示部４に図８又は図１３に示した絵巻画像の一部がスクロールされて表示されるが、特定の日時に、絵巻画像の一部に重ねて特別な画像（第４画像の一例）が表示される。例えば、ユーザーが設定した日時あるいはあらかじめ決められた記念日等になると、スクロール画像の一部に重ねて特別なキャラクターやメッセージ等の特別な画像が表示される。表示される画像の内容は、特定の日時に関連した内容である。
【０１２６】
図１７（Ａ）及び図１７（Ｂ）は、第３実施形態におけるレイヤー構造の一例について説明するための図である。図１７（Ａ）に示すレイヤー構造では、図１１に示したレイヤー構造に対してさらにレイヤーＬ４が定義されており、特別な画像はこのレイヤーＬ４に対応づけてフラッシュＲＯＭ３２に記憶され、レイヤーＬ１〜Ｌ４の画像を重ねて合成した画像が表示部４に描画される。
【０１２７】
同様に、図１７（Ｂ）に示すレイヤー構造では、図１４に示したレイヤー構造に対してさらにレイヤーＬ３が定義されており、特別な画像はこのレイヤーＬ３に対応づけてフラッシュＲＯＭ３２に記憶され、レイヤーＬ１〜Ｌ３の画像を重ねて合成した画像が表示部４に描画される。
【０１２８】
第３実施形態の演算ＩＣ１０による絵巻モードにおける処理手順については、そのフローチャートの図示及び詳細な説明を省略する。例えば、演算ＩＣ１０は、図１２のフローチャートあるいは図１６のフローチャートのステップＳ４０において、取得した時刻情報に基づき次に表示する時刻が特定の日時と一致するか否かをさらに判定し、一致する場合は、図１２のフローチャートのステップＳ６０及びステップＳ７０で、あるいは、図１６のフローチャートのステップＳ６２及びステップＳ７２で、特別な画像をさらに重ねて表示させるマクロ命令を準備すればよい。
【０１２９】
第３実施形態の電子時計１によれば、第１実施形態又は第２実施形態の電子時計１と同様の効果を奏することができる。さらに、第３実施形態の電子時計１によれば、絵巻モードでは特定の日時に特別な画像を表示させることができるので、ユーザーをいっそう楽しませることができる。
【０１３０】
４．第４実施形態
第４実施形態の電子時計１では、第１実施形態及び第２実施形態と異なり、表示部４に表示される画像が季節（特定の期間の一例）に応じて変化する。第４実施形態の電子時計
１は、表示部４に表示される画像及び絵巻モードにおける演算ＩＣ１０の処理を除いて第１実施形態の電子時計１又は第２実施形態の電子時計１と同様であるため、第１実施形態の電子時計１又は第２実施形態の電子時計１と同じ構成には同じ符号を付加して共通する説明を省略し、以下では、第１実施形態あるいは第２実施形態と異なる内容のみ説明する。
【０１３１】
図１８（Ａ）及び図１８（Ｂ）は、第４実施形態におけるレイヤー構造の一例について説明するための図である。図１８（Ａ）に示すレイヤー構造では、図１１に示したレイヤー構造に対して、レイヤーＬ２の代わりにレイヤーＬ２ａ〜Ｌ２ｄの４つのレイヤーが定義されており、レイヤーＬ２ａ，Ｌ２ｂ，Ｌ２ｃ，Ｌ２ｄにそれぞれ対応づけて互いに異なる絵巻画像（例えば、春、夏、秋、冬を表現する４種類の絵巻画像）がフラッシュＲＯＭ３２に記憶される。そして、絵巻画像のレイヤーとして、３月〜５月はレイヤーＬ２ａが選択され、６月〜８月はレイヤーＬ２ｂが選択され、９月〜１１月はレイヤーＬ２ｃが選択され、１２月〜２月はレイヤーＬ２ｄが選択され、レイヤーＬ１の画像、選択されたレイヤーＬ２ａ〜Ｌ２ｄのいずれか１つの画像、及びレイヤーＬ３の画像を重ねて合成した画像が表示部４に描画される。
【０１３２】
同様に、図１８（Ｂ）に示すレイヤー構造では、図１４に示したレイヤー構造に対して、レイヤーＬ１の代わりにレイヤーＬ１ａ〜Ｌ１ｄの４つのレイヤーが定義されており、レイヤーＬ１ａ，Ｌ１ｂ，Ｌ１ｃ，Ｌ１ｄにそれぞれ対応づけて互いに異なる絵巻画像（例えば、春、夏、秋、冬を表現する４種類の絵巻画像）がフラッシュＲＯＭ３２に記憶される。そして、絵巻画像のレイヤーとして、３月〜５月はレイヤーＬ１ａが選択され、６月〜８月はレイヤーＬ１ｂが選択され、９月〜１１月はレイヤーＬ１ｃが選択され、１２月〜２月はレイヤーＬ１ｄが選択され、選択されたレイヤーＬ１ａ〜Ｌ１ｄのいずれか１つの画像及びレイヤーＬ２の画像を重ねて合成した画像が表示部４に描画される。なお、北半球と南半球で夏に対応するレイヤーを選択する月を異ならせたり、雨季と乾季など、四季以外の季節であっても良い。
【０１３３】
第４実施形態の演算ＩＣ１０による絵巻モードにおける処理手順については、そのフローチャートの図示及び詳細な説明を省略する。例えば、演算ＩＣ１０は、図１２のフローチャートあるいは図１６のフローチャートのステップＳ４０において、取得した時刻情報に基づきスクロール画像に用いる絵巻画像を選択する処理をさらに行い、図１２のフローチャートのステップＳ６０及びステップＳ７０で、あるいは、図１６のフローチャートのステップＳ６２及びステップＳ７２で、選択した絵巻画像の一部を用いた画像を描画するマクロ命令を準備すればよい。
【０１３４】
なお、絵巻画像のレイヤーとは別に、季節を表現する画像を対応づけるレイヤー（第３実施形態における特別な画像のレイヤーと同様）を定義し、各レイヤーの画像を重ねて表示することで、表示部４に表示される画像を季節に応じて変化させることもできる。
【０１３５】
第４実施形態の電子時計１によれば、第１実施形態又は第２実施形態の電子時計１と同様の効果を奏することができる。さらに、第４実施形態の電子時計１によれば、ユーザーは、絵巻モードでは、大まかな時の流れを感じながら季節の変化も感じることができる。
【０１３６】
本発明は本実施形態に限定されず、本発明の要旨の範囲内で種々の変形実施が可能である。
【０１３７】
例えば、上述した各実施形態では、電気泳動表示装置を含む腕時計を例に挙げて説明したが、本発明は、腕時計に限らず、例えば、置き時計や携帯型の電子時計、その他の計時・時計機能を有する電子機器、ランナーズウォッチ等のリスト装着型のスポーツ機器、脈
拍計等のウェアラブル機器等にも適用することができる。
【０１３８】
また、例えば、上述した各実施形態では、横方向に長い画像を横方向にスクロールさせていたが、縦方向に長い画像を縦方向にスクロールさせてもよい。
【０１３９】
また、例えば、図１に示した電子時計１の２つのバンド３を留めた状態（輪にした状態）で机に置く等して、操作ボタンＡ（５ａ）及び操作ボタンＢ（５ｂ）が実空間において上下方向に位置するようにした時（電子時計１の上下のバンド３を留めた状態でバンド３を支えとして置いた時等）を想定する。この状態で、ユーザーが表示画像を正しく視認できるように、所定の操作により、あるいは動作を検知して、表示部４に表示される画像を、時計を腕に装着した時の画像の上下方向（バンド３の長手方向）に対して９０度回転させた方向（縦方向）に長い画像（縦画像）を表示させ、この縦画像をスクロール表示させてもよい。
【０１４０】
また、例えば、上述した各実施形態では、時間の経過を表現する画像としてアフリカのサバンナの一日をイメージした画像を例に挙げたが、この他にも、例えば、お伽噺のエピソードをイメージした画像、様々な路線の列車や風景が変化する画像、アニメキャラクターが時刻に合わせて様々なアクションを展開する画像、世界旅行をイメージした画像、植物が時間とともに変化していく画像、スキューバダイビングで海中を移動しながら様々な水中生物が登場する画像、猫等の動物が散歩する画像、時刻に合わせてスポーツ選手のポーズが変化する画像、時刻に合わせて干支が変わる画像、時刻に合わせてモアレや幾何学模様が変化する画像、時刻に合わせて車両の種類（歴代の名車など）が変化する画像等であってもよい。
【０１４１】
また、例えば、上述した各実施形態では、時間の経過を表現する画像として、絵巻画像をスクロールさせて周囲の景色の明るさが変わるような画像を例に挙げたが、これに限られず、例えば、日時計の影が緩やかに変化するような画像であってもよい。
【０１４２】
また、例えば、上述した各実施形態では、表示部４には、１日周期で同じ画像が繰り返し表示されるが、１週間、１月、あるいは１年周期等であってもよい。これらの期間は、特定の期間の例である。例えば、１日毎に変わる月の満ち欠けの画像、四季に応じて変わる花の画像、１年周期で見える位置や種類が変化する星座の画像、日めくりカレンダーの画像、月毎に異なる風景の画像、月の満ち欠けを表す画像等が表示されるようにしてもよい。
【０１４３】
上述した実施形態および変形例は一例であって、これらに限定されるわけではない。例えば、各実施形態および各変形例を適宜組み合わせることも可能である。
【０１４４】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１４５】
１  電子時計、２  時計ケース、３  バンド、４  表示部、５ａ  操作ボタンＡ、５ｂ  操作ボタンＢ、６  駆動装置、７  電気泳動表示装置、１０  演算ＩＣ、１２  フラッシュＲＯＭ、２０  リアルタイムクロックＩＣ、２２  タイマー、２４  水晶振動子、３０
描画ＩＣ、３１  コントローラー、３２  フラッシュＲＯＭ、３３  発振回路、３４  
ＶＲＡＭ、３５  ＲＡＭ、３６  昇圧回路、３７  共通電源変調回路、４０  温度計測ＩＣ、５０  リセットＩＣ、６０  一次電池、１０１  データ線駆動回路、１０２  走査線駆動回路、１０３，１０３Ａ，１０３Ｂ  画素、１０４  駆動用ＴＦＴ、１０５  ラッチ回路、１０６  スイッチ回路、１１１  データ線、１１２  走査線、１２０  マイクロカプセル、１２６  黒色粒子、１２７  白色粒子、１３０  素子基板、１３１  対向基板、１３２  電気泳動素子、１３５，１３５Ａ，１３５Ｂ  画素電極、１３７  共通電極、２００  共通電極配線、２０１  第１パルス信号線、２０２  第２パルス信号線、２０３  高電位電源線、２０４  低電位電源線、３５０  駆動電極層、３６０  電気泳動表示層、３７０  共通電極層
【図２】
2015137939.tif 000003
【図３】
2015137939.tif 000004
【図４】
2015137939.tif 000005
【図５】
2015137939.tif 000006
【図６】
2015137939.tif 000007
【図７】
2015137939.tif 000008
【図１１】
2015137939.tif 000009
【図１２】
2015137939.tif 000010
【図１５】
2015137939.tif 000011
【図１６】
2015137939.tif 000012
【図１７】
2015137939.tif 000013
【図１８】
2015137939.tif 000014
【図１】
2015137939.tif 000015
【図８】
2015137939.tif 000016
【図９】
2015137939.tif 000017
【図１０】
2015137939.tif 000018
【図１３】
2015137939.tif 000019
【図１４】
2015137939.tif 000020